【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
磁性粒子を含む現像剤を担持搬送して像担持体上に形成された静電潜像を現像する第１現像剤担持体と、前記第１現像剤担持体の回転方向と同一方向に回転可能に設けられ、前記第１現像剤担持体から受け渡された現像剤を担持搬送して前記像担持体上に形成された静電潜像を現像する第２現像剤担持体と、前記第１現像剤担持体及び前記第２現像剤担持体を開口部にて一部露出させ、現像剤を収納する現像容器と、前記第１現像剤担持体内に配置され、少なくとも前記第２現像剤担持体に近接対向して設けられた第１磁極を含む複数の磁極を有する第１磁界発生部材と、前記第２現像剤担持体内に配置され、前記第１磁極と略対向して設けられ、前記第１磁極とは異極性の第２磁極を含む複数の磁極を有する第２磁界発生部材と、前記第１現像剤担持体の軸方向端部であって、前記第１現像剤担持体に対して前記像担持体と逆側に設けられ、かつ、前記前記第１磁極よりも前記第１現像剤担持体の回転方向下流側に設けられ、前記第１現像剤担持体の周面に沿って近接配置された第１磁石部材と、前記第２現像剤担持体の軸方向端部であって、前記第２現像剤担持体に対して前記像担持体と逆側に設けられ、かつ、前記前記第２磁極よりも前記第２現像剤担持体の回転方向上流側に設けられ、前記第２現像剤担持体の周面に沿って近接配置された第２磁石部材と、を有し、前記第１磁極と前記第２磁極とで形成される磁力により前記第１現像剤担持体から前記第２現像剤担持体に現像剤が受け渡される現像装置であって、
前記第２磁石部材の前記第２現像剤担持体に対向する面のうち、第２現像剤担持体回転方向下流側の端部領域を、前記第２磁極と同極性とし、
前記第２現像剤担持体の軸方向端部において、前記第２現像剤担持体の軸方向に関して前記第２磁石部材と対向するように設けられ、前記第２現像剤担持体の周面に沿って近接配置された磁性部材を有し、前記磁性部材が磁化されることで形成された磁気ブラシが前記第２現像剤担持体と接触することを特徴とする現像装置。
【請求項２】
前記第２磁石部材と前記第２現像剤担持体のギャップよりも、前記磁性部材と前記第２現像剤担持体のギャップの方が狭くなるように設けられていることを特徴とする請求項１に記載の現像装置。
【請求項３】
前記磁性部材は、前記第２現像剤担持体の軸方向に関して、前記第２磁石部材よりも前記現像容器内側に配置されていることを特徴とする請求項１または２に記載の現像装置。
【請求項４】
前記第２磁界発生部材は、前記第２磁極の第２現像剤担持体回転方向上流側に隣接して設けられ、前記第２磁極と同極性の第３磁極を有し、前記第２磁石部材は、前記第２現像剤担持体における前記第２磁極と前記第３磁極との間での最小磁力となる位置よりも前記第２現像剤担持体回転方向下流側の領域と対向する面は、前記第２磁極と同極性であり、前記最小磁力となる位置よりも前記第２現像剤担持体回転方向上流側の領域と対向する面は、前記第２磁極と異極性であることを特徴とする請求項１乃至３のいずれかに記載の現像装置。
【請求項５】
前記第２磁石部材は、前記第２磁界発生部材の磁極に対して、異極同士で対向する領域を有することを特徴とする請求項１乃至４のいずれかに記載の現像装置。
【請求項６】
前記第１磁界発生部材は、前記第１磁極の第１現像剤担持体回転方向下流側に隣接して設けられ、前記第１磁極と同極性の第４磁極を有し、前記第１磁石部材の前記第１現像剤担持体に対向する面のうち、第１現像剤担持体回転方向上流側の端部領域は、前記第１磁極と異極性であることを特徴とする請求項１乃至５のいずれかに記載の現像装置。
【請求項７】
前記第１現像剤担持体の軸方向端部において、前記第１現像剤担持体の軸方向に関して前記第１磁石部材と対向するように設けられ、前記第１現像剤担持体の周面に沿って近接配置された第２の磁性部材を有することを特徴とする請求項１乃至６のいずれかに記載の現像装置。
【請求項８】
磁性粒子を含む現像剤を担持搬送して像担持体上に形成された静電潜像を現像する第１現像剤担持体と、前記第１現像剤担持体の回転方向と同一方向に回転可能に設けられ、前記第１現像剤担持体から受け渡された現像剤を担持搬送して前記像担持体上に形成された静電潜像を現像する第２現像剤担持体と、前記第１現像剤担持体及び前記第２現像剤担持体を開口部にて一部露出させ、現像剤を収納する現像容器と、前記第１現像剤担持体内に配置され、少なくとも前記第２現像剤担持体に近接対向して設けられた第１磁極を含む複数の磁極を有する第１磁界発生部材と、前記第２現像剤担持体内に配置され、前記第１磁極と略対向して設けられ、前記第１磁極とは異極性の第２磁極を含む複数の磁極を有する第２磁界発生部材と、前記第１現像剤担持体の軸方向端部であって、前記第１現像剤担持体に対して前記像担持体と逆側に設けられ、かつ、前記前記第１磁極よりも前記第１現像剤担持体の回転方向下流側に設けられ、前記第１現像剤担持体の周面に沿って近接配置された第１磁石部材と、前記第２現像剤担持体の軸方向端部であって、前記第２現像剤担持体に対して前記像担持体と逆側に設けられ、かつ、前記前記第２磁極よりも前記第２現像剤担持体の回転方向上流側に設けられ、前記第２現像剤担持体の周面に沿って近接配置された第２磁石部材と、を有し、前記第１磁極と前記第２磁極とを結んだ磁力線により前記第１現像剤担持体から前記第２現像剤担持体に現像剤が受け渡される現像装置であって、
前記第２磁石部材の前記第２現像剤担持体に対向する面のうち、第２現像剤担持体回転方向下流側の端部領域を、前記第２磁極と同極性とし、
前記第２磁石部材と前記第２現像剤担持体との対向部において、前記第２磁石部材に捕捉された磁気ブラシが前記第２現像剤担持体と接触するように前記第２磁石部材の磁力のほうが前記第２磁界発生部材の磁力よりも大きく構成されていることを特徴とする現像装置。
【手続補正２】
【補正対象書類名】明細書
【補正対象項目名】００４８
【補正方法】変更
【補正の内容】
【００４８】
上記目的は本発明に係る現像装置にて達成される。要約すれば、本発明は、磁性粒子を含む現像剤を担持搬送して像担持体上に形成された静電潜像を現像する第１現像剤担持体と、前記第１現像剤担持体の回転方向と同一方向に回転可能に設けられ、前記第１現像剤担持体から受け渡された現像剤を担持搬送して前記像担持体上に形成された静電潜像を現像する第２現像剤担持体と、前記第１現像剤担持体及び前記第２現像剤担持体を開口部にて一部露出させ、現像剤を収納する現像容器と、前記第１現像剤担持体内に配置され、少なくとも前記第２現像剤担持体に近接対向して設けられた第１磁極を含む複数の磁極を有する第１磁界発生部材と、前記第２現像剤担持体内に配置され、前記第１磁極と略対向して設けられ、前記第１磁極とは異極性の第２磁極を含む複数の磁極を有する第２磁界発生部材と、前記第１現像剤担持体の軸方向端部であって、前記第１現像剤担持体に対して前記像担持体と逆側に設けられ、かつ、前記前記第１磁極よりも前記第１現像剤担持体の回転方向下流側に設けられ、前記第１現像剤担持体の周面に沿って近接配置された第１磁石部材と、前記第２現像剤担持体の軸方向端部であって、前記第２現像剤担持体に対して前記像担持体と逆側に設けられ、かつ、前記前記第２磁極よりも前記第２現像剤担持体の回転方向上流側に設けられ、前記第２現像剤担持体の周面に沿って近接配置された第２磁石部材と、を有し、前記第１磁極と前記第２磁極とで形成される磁力により前記第１現像剤担持体から前記第２現像剤担持体に現像剤が受け渡される現像装置であって、
前記第２磁石部材の前記第２現像剤担持体に対向する面のうち、第２現像剤担持体回転方向下流側の端部領域を、前記第２磁極と同極性とし、
前記第２現像剤担持体の軸方向端部において、前記第２現像剤担持体の軸方向に関して前記第２磁石部材と対向するように設けられ、前記第２現像剤担持体の周面に沿って近接配置された磁性部材を有し、前記磁性部材が磁化されることで形成された磁気ブラシが前記第２現像剤担持体と接触することを特徴とする現像装置である。